(57)【要約】【課題】ガイドカバーの強度を確保するとともに、ベース枠に対するガイドカバーのブレを抑制することができるレンズ鏡筒及び撮像装置を提供する。【解決手段】レンズ鏡筒１０は、光軸Ｊ方向に移動可能なレンズ枠体５２と、レンズ枠体５２の光軸Ｊに沿って移動するようにレンズ枠体５２をガイドするガイドポール５３と、ガイドポール５３の一端側を保持する第１のレンズ枠５１と、第１のレンズ枠５１に保持されるガイドカバー１５０と、ガイドカバー１５０を第１のレンズ枠５１に固定する締結部材１６０とを備える。また、ガイドカバー１５０は、ガイドポール５３の他端側を保持し、光軸Ｊ方向に突出する突出部１５３を有する。締結部材１６０は、突出部１５３を介してガイドカバー１５０を第１のレンズ枠５１に締結している。【選択図】図４
2018072485.tif 000002
【特許請求の範囲】
【請求項１】
光軸方向に移動可能なレンズ枠体と、
前記レンズ枠体の前記光軸に沿って移動するように前記レンズ枠体をガイドするガイドポールと、
前記ガイドポールの一端側を保持するベース枠と、
前記ベース枠に保持されるガイドカバーと、
前記ガイドカバーを前記ベース枠に固定する締結部材とを備え、
前記ガイドカバーは、前記ガイドポールの他端側を保持し、前記光軸方向に突出する突出部を有し、
前記締結部材は、前記突出部を介して前記ガイドカバーを前記ベース枠に締結している
レンズ鏡筒。
【請求項２】
前記突出部には、前記光軸方向の一端側から他端側まで貫通する突出側挿通孔が形成され、
前記ベース枠には、締結穴が形成され、
前記締結部材は、前記突出側挿通孔を挿通して前記締結穴に締結する
請求項１記載のレンズ鏡筒。
【請求項３】
前記締結部材の締結側とは反対側の一端は、前記突出部の先端から、前記突出部の長さの１／２までの範囲に設けられる
請求項１又は２記載のレンズ鏡筒。
【請求項４】
前記ガイドカバーは、前記締結部材が前記ベース枠に締結した箇所以外に、少なくとも２箇所が他の締結部材によって前記ベース枠に固定され、
前記締結部材は、前記他の締結部材と異なる高さに設けられている
請求項１〜３のいずれか１項に記載のレンズ鏡筒。
【請求項５】
前記レンズ枠体は、前記レンズ枠体を移動させるコイルと、位置検出部材とを有し、
前記ベース枠は、前記レンズ枠体の位置を検出する位置検出センサと、駆動用マグネットとを有する
請求項１〜４のいずれか１項に記載のレンズ鏡筒。
【請求項６】
前記位置検出部材は、マグネット又は反射ミラーであり、
前記位置検出センサは、磁気式又は反射式である
請求項５記載のレンズ鏡筒。
【請求項７】
請求項１〜６のいずれか１項に記載のレンズ鏡筒を備えた
撮像装置。
【発明の詳細な説明】
【技術分野】
【０００１】
本開示は、レンズ鏡筒及びレンズ鏡筒を用いた撮像装置に関する。
【背景技術】
【０００２】
従来、群移動枠（レンズ枠体の一例）を光軸方向に移動可能に支持するガイドバー（ガイドポール）と、群レンズを保持する群移動枠（駆動レンズ枠の一例）と、ガイドバーを保持する群鏡筒（ベース枠の一例）とを備えるレンズ鏡筒が知られている（例えば特許文献１）。
【先行技術文献】
【特許文献】
【０００３】
【特許文献１】特開２０１５−１９１１２３号公報
【発明の概要】
【発明が解決しようとする課題】
【０００４】
上記従来のレンズ鏡筒では、より大きな群レンズを用いた撮像装置を提供したいという要望がある。しかし、ガイドポールを保持するベース枠の突出部が大きいと、レンズ枠体の大きさが制限されるため、群レンズの大きさが制限されてしまう。そこで、ベース枠の突出部を細くすれば、群レンズの大きさの制限が緩和されるが、ガイドポールを保持するベース枠の突出部の強度を確保することができない。また、突出部の強度が確保されないと、撮像時の振動により異音が生じてしまう。このため、この異音を撮像時に集音してしまう恐れがある。
【０００５】
本開示は、このような課題を解決するためになされたものであり、ガイドカバーの強度を確保するとともに、ベース枠に対するガイドカバーのブレを抑制することができるレンズ鏡筒及び撮像装置を提供する。
【課題を解決するための手段】
【０００６】
上記課題を解決するために、本発明に係るレンズ鏡筒の一態様は、光軸方向に移動可能なレンズ枠体と、前記レンズ枠体の前記光軸に沿って移動するように前記レンズ枠体をガイドするガイドポールと、前記ガイドポールの一端側を保持するベース枠と、前記ベース枠に保持されるガイドカバーと、前記ガイドカバーを前記ベース枠に固定する締結部材とを備え、前記ガイドカバーは、前記ガイドポールの他端側を保持し、前記光軸方向に突出する突出部を有し、前記締結部材は、前記突出部を介して前記ガイドカバーを前記ベース枠に締結している。
【発明の効果】
【０００７】
本開示によれば、ガイドカバーの強度を確保するとともに、ベース枠に対するガイドカバーのブレを抑制することができる。
【図面の簡単な説明】
【０００８】
【図１】図１は、実施の形態に係る撮像装置を示す斜視図である。
【図２】図２は、実施の形態に係る撮像装置におけるレンズ鏡筒の分解斜視図である。
【図３】図３は、図１のＡ−Ａ線における実施の形態に係るレンズ鏡筒の断面図である。
【図４】図４は、実施の形態に係るレンズ鏡筒の第１の群鏡筒を示す斜視図である。
【図５】図５は、実施の形態に係るレンズ鏡筒の第１の群鏡筒を示す正面図である。
【図６】図６は、図５のＢ−Ｂ線における実施の形態に係るレンズ鏡筒の第１の群鏡筒を示す断面図である。
【図７】図７は、図５のＣ−Ｃ線における実施の形態に係るレンズ鏡筒の第１の群鏡筒を示す断面図である。
【図８】図８は、実施の形態に係るレンズ鏡筒における第１の群鏡筒の一部を示す部分拡大斜視図である。
【図９】図９は、比較例に係るレンズ鏡筒の群鏡筒の一部を示す部分拡大斜視図である。
【図１０】図１０は、実施の形態の変形例に係る撮像装置の第１の群鏡筒を示す断面図である。
【発明を実施するための形態】
【０００９】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１０】
なお、発明者らは、当業者が本開示を十分に理解するために添付図面および以下の説明を提供するのであって、これらによって特許請求の範囲に記載の主題を限定することを意図するものではない。
【００１１】
また、「略＊＊」との記載は、「略同一」を例に挙げて説明すると、全く同一はもとより、実質的に同一と認められるものを含む意図である。また、「＊＊近傍」、「約＊＊」との記載においても同様である。
【００１２】
なお、各図は、必ずしも厳密に図示されたものではない。また、各図において、実質的に同一の構成に対しては同一の符号を付しており、重複する説明は省略又は簡略化する。
【００１３】
（実施の形態）
次に、実施の形態に係る撮像装置１の構成について、図１〜図８を用いて説明する。
【００１４】
図１は、実施の形態に係る撮像装置１を示す斜視図である。図２は、実施の形態に係る撮像装置１におけるレンズ鏡筒１０の分解斜視図である。図３は、図１のＡ−Ａ線における実施の形態に係るレンズ鏡筒１０の断面図である。図４は、実施の形態に係るレンズ鏡筒１０の第１の群鏡筒５０を示す斜視図である。図５は、実施の形態に係るレンズ鏡筒１０の第１の群鏡筒５０を示す正面図である。図６は、図５のＢ−Ｂ線における実施の形態に係るレンズ鏡筒１０の第１の群鏡筒５０を示す断面図である。図７は、図５のＣ−Ｃ線における実施の形態に係るレンズ鏡筒１０の第１の群鏡筒５０を示す断面図である。図８は、実施の形態に係るレンズ鏡筒１０における第１の群鏡筒５０の一部を示す部分拡大斜視図である。
【００１５】
図１では、撮像装置１の光軸Ｊと平行な方向をＸ軸方向と規定し、水平方向をＹ軸方向と規定し、鉛直上側をＺ軸方向と規定する。また、被写体側をＸ軸プラス方向側と規定し、撮像素子１４側をＸ軸マイナス方向側と規定する。なお、光軸Ｊ方向の一例としてＸ軸プラス方向である。なお、図１では、Ｘ軸方向と、Ｙ軸方向とＺ軸方向とは、使用態様によって変化するため、これには限定されない。図１以降の各図においても、同様である。
【００１６】
図１に示されるように、撮像装置１は、例えばデジタルスチルカメラである。撮像装置１は、撮像装置本体２と、レンズ鏡筒１０とを備える。
【００１７】
撮像装置本体２は、画像処理部、システム制御部、測距部、メモリ部、カメラ表示部、カメラ操作部等を有する。
【００１８】
図１及び図３に示されるように、画像処理部は、後述する撮像素子１４からの信号を画像信号に変換する。システム制御部は、撮像装置１全体の撮影動作や記録等の制御を行う。測距部は、被写体と撮像装置１との距離を測距する。メモリ部には、撮像装置本体２のメインメモリと外部から装着される記憶媒体を含むメモリ部である。カメラ表示部は、撮影時における被写体のエイミングや、設定変更の確認、撮影画像のプレビュー確認を行うための表示部である。カメラ操作部は、撮影動作や設定変更を行うための操作部である。
【００１９】
図１及び図２に示されるように、レンズ鏡筒１０は、ズーム機構を有し、非撮影時では撮像装置本体２からＸ軸プラス方向に突出しており、撮影時及びズーム機構稼働時にはＸ軸プラス方向に繰り出される。レンズ鏡筒１０は、撮像装置本体２部から脱着可能であってもよい。レンズ鏡筒１０は、固定鏡筒１１と、移動鏡筒１２とを備えている。
【００２０】
図１及び図３に示されるように、固定鏡筒１１には、一端側（Ｘ軸マイナス方向側）が撮像装置本体２に固定される。固定鏡筒１１には、カム筒３０と、直進枠４０と、第１の群鏡筒５０と、第２の群鏡筒６０と、シャッターユニット７０とが収容された状態となっている。固定鏡筒１１は、その底部に形成された保持ベース１３が撮像素子１４を保持する。撮像素子１４は、第１乃至第５のレンズ群Ｌ１〜Ｌ５、手ぶれ補正レンズ群６３を介して撮像する素子であり、例えば、ＣＭＯＳユニット等である。撮像素子１４は、被写体からの光を光電変換して画像処理部に信号を出力する。撮像装置本体２の保持ベース１３は、撮像素子１４を保持する。保持ベース１３は、略円板状に形成され、光軸Ｊに対して撮像素子１４の撮像面１４ａが直交する状態で撮像素子１４を保持する。
【００２１】
図２及び図３に示されるように、カム筒３０は、固定鏡筒１１の内側に配置され、光軸Ｊを軸心として回転する。カム筒３０は、例えば、ギア部及びＤＣモータ等のアクチュエータ１５を有する。例えば、ＤＣモータの回転により、ＤＣモータの出力ギアと噛み合うギア部等を介して、ＤＣモータの回転がカム筒３０の回転へと伝達される。
【００２２】
カム筒３０には、フランジ部、カム筒３０の内面側にカム突起、カム筒３０の内面側にカム溝等が形成されている。フランジ部は、外周面のＸ軸マイナス方向側の端部において周方向に沿って立設している。
【００２３】
直進枠４０は、円筒状に形成され、カム筒３０の内側に配置されている。直進枠４０には、カムフォロア、カム溝等が形成されている。直進枠４０のカムフォロア、カム溝等は、直進枠４０の内面側に形成され、カム筒３０に形成されているカムフォロア、カム突起等と係合し、カム筒３０の回転に応じて直進枠４０を直進させるためのカム機構を構成している。直進枠４０は、レンズ鏡筒１０内に光を取り込むための第１乃至第３のレンズ群Ｌ１〜Ｌ３等を保持する。
【００２４】
図３及び図４に示されるように、第１の群鏡筒５０は、第１のレンズ枠５１（ベース枠の一例）と、第１のレンズ群Ｌ１と、レンズ枠体５２と、ガイドポール５３と、ガイドカバー１５０と、２つのネジ５５、５６（他の締結部材の一例）と、締結部材１６０とを有する。なお、ベース枠の一例として第１のレンズ群Ｌ１を含んでいてもよい。
【００２５】
第１のレンズ枠５１は、例えば略円筒状に形成された樹脂部材であり、Ｘ軸プラス方向側で開いている。第１のレンズ枠５１は、第１のレンズ群Ｌ１を内部に保持する。第１のレンズ群Ｌ１は、第１のレンズ枠５１により位置決めされる。第１のレンズ群Ｌ１は、第１のレンズ群Ｌ１の光軸が撮像素子１４の光軸Ｊと略一致するように配置されている。第１のレンズ群Ｌ１は、撮像素子１４よりもＸ軸プラス方向側で、撮像素子１４の撮像面１４ａと対面するように設けられる。また、第１のレンズ枠５１には、後述する平板部１５１における第１の挿通孔１５１ａ及び第２の挿通孔１５１ｂと対応する２つのネジ穴と、後述する突出部１５３における突出側挿通孔１５３ｃと対応する雌ネジ穴５１ｄ（締結穴の一例）とが形成されている。
【００２６】
図６に示されるように、第１のレンズ枠５１の内部には、ヨーク２１と、コイル２２と、駆動用マグネット２３（位置検出部材の一例）とを有する磁気回路から構成された駆動機構を収容する収容空間５１ｂが形成されている。
【００２７】
ヨーク２１は、断面が略Ｕ字状をなし、第１のレンズ枠５１の内周面に沿うように配置している。ヨーク２１は、第１のレンズ枠５１におけるＸ軸方向の厚みと略同等の長さを有する。ヨーク２１には、ヨーク２１のＸ軸プラス方向側の端面からＸ軸マイナス方向に向かって凹む収容空間２１ａが形成されている。
【００２８】
コイル２２は、第２のレンズ枠５２ａに設けられ、ヨーク２１の収容空間２１ａ内に配置されている。コイル２２には電源部からの電力が供給される。電力の供給は、フレキシブル配線を介して伝達してもよい。
【００２９】
駆動用マグネット２３は、コイル２２の外周側で、ヨーク２１の内周面に沿うように設けられている。駆動用マグネット２３の内周側の面がＮ極であり、駆動用マグネット２３の外周側の面がＳ極である。このとき、駆動用マグネット２３は、コイル２２に通電させる方向と直交する方向に磁束が発生するように配置される。これにより、コイル２２は、ローレンツ力を受けてＸ軸方向に力が働く。その結果、レンズ枠体５２をＸ軸方向に沿って移動させることができる。
【００３０】
なお、本実施の形態では、位置検出部材の一例として駆動用マグネット２３を用いているが、例えば位置検出部材を反射ミラーとしてもよい。
【００３１】
図４及び図５に示されるように、レンズ枠体５２は、Ｘ軸方向に沿って移動可能である。レンズ枠体５２は、第２のレンズ枠５２ａと、第２のレンズ群Ｌ２と、マグネット５８（位置検出部材の一例）と、ＭＲ（Ｍａｇｎｅｔｏ  Ｒｅｓｉｓｔｉｖｅ）素子５９（位置検出センサの一例）とを有する。第２のレンズ枠５２ａは、略円筒状に形成され、第１のレンズ枠５１よりもＸ軸プラス方向側で第２のレンズ群Ｌ２を内部に保持する。第２のレンズ群Ｌ２は、第２のレンズ群Ｌ２の光軸が撮像素子の光軸Ｊと略一致するように、第１のレンズ群Ｌ１よりもＸ軸プラス方向側で、第１のレンズ群Ｌ１と対面するように設けられる。第２のレンズ枠５２ａには、ガイドポール５３を挿通するポール挿通孔５２ｃが形成されている。また、第１のレンズ枠５１には、レンズ枠体５２がＸ軸方向に直動するように、第２のレンズ枠５２ａを案内するレールが形成されている。なお、本実施の形態では、位置検出センサの一例としてＭＲ素子５９を用いているが、ＭＲ素子５９の代わりに位置検出センサの一例としてホール素子を用いてもよい。
【００３２】
図５に示されるように、マグネット５８は、ＭＲ素子５９の近傍で第２のレンズ枠５２ａに設けられている。マグネット５８が設けられた第２のレンズ枠５２ａが移動することで、マグネット５８に生じる磁界の変化をＭＲ素子５９で検出する。
【００３３】
ＭＲ素子５９は、レンズ枠体５２の位置を検出するためのセンサであり、第２のレンズ枠５２ａに設けられる。ＭＲ素子５９は、例えば撮影時に、レンズ枠体５２を移動させると、ＭＲ素子５９に対するマグネット５８の位置が変化する。このとき、ＭＲ素子５９の位置における磁束が変化し、ＭＲ素子５９の出力が変化する。こうして、ＭＲ素子５９の出力を検出すれば、レンズ枠体５２のシフト位置を検出することができる。なお、位置検出センサの一例として、磁気式であるＭＲ素子５９又はホール素子を用いてもよく、反射式のフォトインタラプタを用いてもよい。電力の供給は、フレキシブル配線を介して伝達してもよい。
【００３４】
図４に示されるように、ガイドポール５３は、例えば円柱状をなした金属製の部材であり、Ｘ軸方向と略平行に延びている。ガイドポール５３は、第２のレンズ枠５２ａをＸ軸方向に移動可能に支持する。言い換えれば、ガイドポール５３は、光軸Ｊに沿って移動するようにレンズ枠体５２をガイドする。ガイドポール５３の一端側（Ｘ軸マイナス方向側）は第１の群鏡筒５０の第１のレンズ枠５１に固定（保持）され、ガイドポール５３の他端側（Ｘ軸プラス方向側）はガイドカバー１５０に固定（保持）されている。ガイドポール５３の一部は突出部１５３の配置空間１５０ａに配置される。
【００３５】
なお、本実施の形態では１本のガイドポール５３を用いているが、本数は特に限定されない。第２のレンズ枠５２ａがガイドポール５３を摺動することで、第２のレンズ群Ｌ２を所定の位置で位置決め固定することができる。
【００３６】
ガイドカバー１５０は、樹脂製のカバー部材であり、第１の群鏡筒５０のＸ軸プラス方向側の端部に設けられる。具体的には、ガイドカバー１５０は、第１のレンズ枠５１のＸ軸プラス方向側（被写体側）の端部に固定（保持）されている。ガイドカバー１５０は、平板部１５１と、突出部１５３とを有する。平板部１５１及び突出部１５３は、例えば、インサート成型などで一体成型に形成されている。
【００３７】
平板部１５１は、平面視で略円弧状をなした平板であり、略円筒状をなした第１のレンズ枠５１のＸ軸プラス方向側の端縁の一部を沿うように設けられている。平板部１５１には、２つのネジ５５、５６をそれぞれ挿通することが可能な第１の挿通孔１５１ａ及び第２の挿通孔１５１ｂが形成されている。本実施の形態では第１の挿通孔１５１ａ及び第２の挿通孔１５１ｂが形成されているが、他にも挿通孔が形成されていてもよい。また、第１の挿通孔１５１ａ及び第２の挿通孔１５１ｂの箇所も特に限定されない。第１の挿通孔１５１ａは、平面視で略円弧状をなした平板部１５１の一端側に形成されている。第２の挿通孔１５１ｂは、平面視で略円弧状をなした平板部１５１の中央近傍に形成されている。
【００３８】
ガイドカバー１５０を第１のレンズ枠５１のＸ軸プラス方向側の端縁に設けた場合に、平板部１５１における第１の挿通孔１５１ａ及び第２の挿通孔１５１ｂは、第１のレンズ枠５１における複数のネジ穴と対応している。
【００３９】
２つのネジ５５、５６は、金属製をなしている。一方のネジ５５は、第１の挿通孔１５１ａを挿通し、第１のレンズ枠５１における第１の挿通孔１５１ａと対応するネジ穴と螺合する。また、他方のネジ５５は、第２の挿通孔１５１ｂを挿通し、第１のレンズ枠５１における第２の挿通孔１５１ｂと対応するネジ穴と螺合する。これにより、平板部１５１は、この２つのネジ５５、５６により、第１のレンズ枠５１のＸ軸プラス方向の端部に固定される。
【００４０】
図７及び図８に示されるように、突出部１５３は、平板部１５１の被写体側の面（Ｘ軸プラス方向側の面）からＸ軸プラス方向に突出する部材である。突出部１５３の長さＤは、第１の群鏡筒５０におけるＸ軸方向の長さの約１／３以上に設定していてもよい。突出部１５３の先端部（Ｘ軸プラス方向の端部）には、段部１５６が形成されている。突出部１５３の先端面は、第１の平面１５６ａと、第２の平面１５６ｂと、側面１５６ｃとを有する。第１の平面１５６ａは、第２の平面１５６ｂに対してＸ軸マイナス方向に凹む面である。言い換えれば、段部１５６は、第２の平面１５６ｂが第１の平面１５６ａに対してＸ軸プラス方向に突出して形成された部位である。側面１５６ｃは、第１の平面１５６ａの壁面であり、第１の平面１５６ａから第２の平面１５６ｂまでの段部１５６の壁面である。
【００４１】
平板部１５１のＸ軸プラス方向側の面を基準とした場合に、第２の平面１５６ｂは、第１の平面１５６ａよりも被写体側に位置している。
【００４２】
突出部１５３は、第１の突出本体部１５４ａと、第２の突出本体部１５４ｂと、リブ１５５ｂとを有する。
【００４３】
第１の突出本体部１５４ａは、Ｘ軸方向に長尺な略角柱状をなした部材である。第１の突出本体部１５４ａの先端面が第１の平面１５６ａである。第１の突出本体部１５４ａには、光軸Ｊ方向の一端側から他端側まで貫通する突出側挿通孔１５３ｃが形成されている。言い換えれば、突出側挿通孔１５３ｃは、第１の平面１５６ａから第１の突出本体部１５４ａのＸ軸マイナス方向側（被写体側）の面まで延びている。突出側挿通孔１５３ｃは、ガイドカバー１５０を第１のレンズ枠５１のＸ軸プラス方向側の端縁に設けた場合に、第１のレンズ枠５１における雌ネジ穴５１ｄと対応している。
【００４４】
締結部材１６０は、突出部１５３よりも強固な金属製をなす長ビスであり、Ｘ軸方向と略平行に設けられる。締結部材１６０は、突出部１５３を介してガイドカバー１５０を第１のレンズ枠５１に締結している。
【００４５】
具体的には、締結部材１６０は、頭部１６１と、円柱部１６２と、雄ネジ部１６３とを有する。頭部１６１は、締結の際に第１の平面１５６ａから突出する部分である。円柱部１６２は、頭部１６１からＸ軸マイナス方向に延びている。円柱部１６２の呼び長さは、突出側挿通孔１５３ｃの長さに相当していてもよい。雄ネジ部１６３は、円柱部１６２のＸ軸マイナス方向の端部から、さらにＸ軸マイナス方向に延びている。雄ネジ部１６３の外周面には、ネジ山とネジ溝とが螺旋状に形成されている。雄ネジ部１６３は、第１のレンズ枠５１における雌ネジ穴５１ｄに螺合する。こうして、締結部材１６０は、突出側挿通孔１５３ｃを挿通して雌ネジ穴５１ｄに締結することで、突出部１５３を第１のレンズ枠５１に固定する。つまり、締結部材１６０及び２つのネジ５５、５６がガイドカバー１５０を第１のレンズ枠５１に固定する。
【００４６】
締結部材１６０がガイドカバー１５０を第１のレンズ枠５１に固定した際に、締結部材１６０の頭部１６１における撮像面１４ａ側の面と第１の平面１５６ａとが密着し、ガイドカバー１５０の撮像面１４ａ側と第１のレンズ枠５１の被写体側の面とが密着して、ガイドカバー１５０が第１のレンズ枠５１に押さえつけられる。これにより、ガイドカバー１５０の突出部１５３は、第１のレンズ枠５１の被写体側に固定される。
【００４７】
なお、締結部材１６０は、長ビスに限定されず、ネジ、ボルト等であってもよい。また、ガイドカバー１５０は、２つのネジ５５、５６によって第１のレンズ枠５１に固定されているが、ネジにより３箇所以上で第１のレンズ枠５１に固定されていてもよい。
【００４８】
締結部材１６０の締結側とは反対側（被写体側）の一端は、突出部１５３の先端（第２の平面１５６ｂの仮想の延長面）から、突出部１５３の長さの１／２までの範囲に設けられる。締結部材１６０は、第１の突出本体部１５４ａに設けられているため、２つのネジ５５、５６と異なる高さに設けられている。
【００４９】
また、Ｘ軸方向における締結部材１６０の長さは、第１のレンズ枠５１の雌ネジ穴５１ｄと締結できる長さであり、突出部１５３の長さＤの１／２以上よりも長い。本実施の形態では、締結部材１６０の長さは、突出部１５３の長さよりも長い。
【００５０】
締結部材１６０の頭部１６１は、平板部１５１を固定する２つのネジ５５、５６の頭部と同一の高さに設けられていないことが好ましい。本実施の形態では、締結部材１６０の頭部１６１は、２つのネジ５５、５６の頭部よりもＸ軸プラス方向側に位置している。なお、ガイドカバー１５０を第１のレンズ枠５１に固定した際に、締結部材１６０の頭部１６１は、第２の平面１５６ｂにおける仮想の延長面よりもＸ軸プラス方向に飛び出ていないことが好ましい。言い換えれば、締結部材１６０によってガイドカバー１５０を第１のレンズ枠５１に締結した際に、締結部材１６０の頭部１６１は、第２の平面１５６ｂにおける仮想の延長面の高さ以下である。
【００５１】
第２の突出本体部１５４ｂは、Ｘ軸方向に長尺な部材であり、第１の突出本体部１５４ａのＺ軸マイナス方向側（ガイドポール５３側）で隣接し、第１の突出本体部１５４ａと一体化されている。第２の突出本体部１５４ｂの一部には、Ｘ軸方向に長尺に切り欠かれた配置空間１５０ａが形成されている。第２の突出本体部１５４ｂの先端面が第２の平面１５６ｂである。
【００５２】
第２の突出本体部１５４ｂは、抑え部１５５ａを有している。抑え部１５５ａは、第２の突出本体部１５４ｂの先端側に設けられ、この先端側から光軸Ｊと略直交する方向に張り出す部位である。抑え部１５５ａにおけるＸ軸マイナス方向側の端面は、第２の平面１５６ｂの一部を構成している。抑え部１５５ａのＸ軸マイナス方向側では、ガイドポール５３の他端側（Ｘ軸プラス方向側の端部）を固定している。
【００５３】
リブ１５５ｂは、平板部１５１及び突出部１５３に対して略垂直に形成されている。具体的には、リブ１５５ｂは、平板部１５１のＸ軸プラス方向側の面と、第１の突出本体部１５４ａの外周面との間に形成されている。リブ１５５ｂは、平板部１５１と突出部１５３との間の強度を高めている。本実施の形態では、リブ１５５ｂは、略三角形状をなしている。
【００５４】
図３に示されるように、第２の群鏡筒６０は、手ぶれ防止ユニット（ＯＩＳ：ｏｐｔｉｃａｌ  ｉｍａｇｅ  ｓｔａｂｉｌｉｚａｔｉｏｎ）６１と、第３のレンズ枠６５と、第３のレンズ群Ｌ３とを有する。
【００５５】
手ぶれ防止ユニット６１は、手ぶれ防止レンズ枠６２と、手ぶれ補正用の手ぶれ補正レンズ群６３とを保持する。手ぶれ補正レンズ群６３は、手ぶれ防止レンズ枠６２により位置決めされる。手ぶれ補正レンズ群６３は、手ぶれ補正レンズ群６３の光軸が撮像素子１４の光軸Ｊと略一致するように配置されている。手ぶれ補正レンズ群６３は、第２のレンズ群Ｌ２よりもＸ軸プラス方向側で、第２のレンズ群Ｌ２と対面するように設けられる。
【００５６】
第３のレンズ枠６５は、像ぶれ補正用の第３のレンズ群Ｌ３を内部に保持する。第３のレンズ群Ｌ３は、第３のレンズ枠６５により位置決めされる。手ぶれ補正レンズ群６３は、手ぶれ補正レンズ群６３の光軸が撮像素子１４の光軸Ｊと略一致するように配置されている。第３のレンズ群Ｌ３は、手ぶれ補正レンズ群６３よりもＸ軸プラス方向側で、手ぶれ補正レンズ群６３と対面するように設けられる。
【００５７】
図２及び図３に示されるように、シャッターユニット７０は、直進枠４０に設けられた状態で、第３のレンズ枠６５と第４のレンズ枠８０との間に保持されている。シャッターユニット７０は、アクチュエータ１５で回転駆動されるカム筒３０に形成されているカムフォロア及びカム溝と嵌合してもよい。アクチュエータ１５によりカム筒３０が回転すると、シャッターユニット７０がＸ軸方向に移動してもよい。
【００５８】
シャッターユニット７０は、ズーム用の第１のレンズ群Ｌ１のシャッターを開閉し、手ぶれ補正ユニットによって手ぶれ補正を行い、絞り機構によって絞りの調整をする。このシャッターユニット７０や手ぶれ防止ユニット６１や絞り機構等を制御する電気信号は、信号伝達用のフレキシブル配線を介して伝達する。
【００５９】
移動鏡筒１２は、固定鏡筒１１に対して外側に繰り出されたり（Ｘ軸プラス方向（光軸Ｊ方向）に直進）、固定鏡筒１１の内部に収納されたりする（Ｘ軸マイナス方向に直進）。移動鏡筒１２は、その一部が固定鏡筒１１の内側に保持されている。
【００６０】
移動鏡筒１２は、化粧枠１７と、第４のレンズ枠８０と、第５のレンズ枠９０と、第４のレンズ群Ｌ４と、第５のレンズ群Ｌ５と、フィルター枠１８とを有している。
【００６１】
化粧枠１７は、筒状をなした筐体であり、固定鏡筒１１に対して前方に繰り出される。レンズ群枠は、アクチュエータ１５によりＸ軸方向に移動する。
【００６２】
化粧枠１７のＸ軸プラス方向の端面には、第４のレンズ枠８０と、第５のレンズ枠９０とが固定されている。第４のレンズ枠８０は、第４のレンズ群Ｌ４を保持する。
【００６３】
第４のレンズ枠８０は、化粧枠１７の内部でＸ軸方向に直進可能に設けられている。第４のレンズ枠８０も、化粧枠１７を移動させるアクチュエータ１５によりＸ軸方向に移動させてもよい。第４のレンズ枠８０は、第４のレンズ群Ｌ４を内部に保持する。第４のレンズ枠８０は、ズームのために用いるレンズである。第４のレンズ群Ｌ４は、第４のレンズ枠８０により位置決めされる。第４のレンズ群Ｌ４は、第４のレンズ群Ｌ４の光軸が撮像素子１４の光軸Ｊと略一致するように配置されている。第４のレンズ群Ｌ４は、シャッターユニット７０よりもＸ軸プラス方向側で、シャッターユニット７０を介して手ぶれ補正レンズ群６３と対面するように設けられる。
【００６４】
フィルター枠１８は、第５のレンズ枠９０よりも被写体側で化粧枠１７と係合することで、第５のレンズ枠９０が化粧枠１７の内部に保持される。フィルター枠１８は、環状をなし、光学部材と係合するように、内部にネジ切り加工が施されている。
【００６５】
第５のレンズ群Ｌ５は、ズームのために用いるレンズであり、撮影レンズとなる対物レンズである。第５のレンズ群Ｌ５は、第５のレンズ枠９０により位置決めされる。第５のレンズ群Ｌ５は、第５のレンズ群Ｌ５の光軸が撮像素子１４の光軸Ｊと略一致するように配置されている。第５のレンズ枠９０は、第５のレンズ群Ｌ５を内部に保持する。第５のレンズ群Ｌ５は、第５のレンズ枠９０により位置決めされ、撮像素子１４の光軸Ｊと略一致するように配置されている。第５のレンズ群Ｌ５は、第４のレンズ群Ｌ４よりもＸ軸プラス方向側で、第４のレンズ群Ｌ４と対面するように設けられる。
【００６６】
［比較例］
次に、比較例に係るレンズ鏡筒の構成について、図９を用いて説明する。
【００６７】
図９は、比較例に係るレンズ鏡筒の群鏡筒２００の一部を示す部分拡大斜視図である。
【００６８】
比較例に係るレンズ鏡筒では、ガイドカバー２５０の突出部２５３に実施の形態の締結部材１６０が設けられていない点、突出部２５３に実施の形態の段部１５６が形成されていない点等で、実施の形態と相違する。
【００６９】
本比較例における他の構成は、実施の形態と同様であり、同一の構成については同一の符号を付して構成に関する詳細な説明を省略する。
【００７０】
図９で示されるように、平板部２５１には、実施の形態と同様の第１の挿通孔及び第２の挿通孔の他に、第３の挿通孔２５１ｃが形成されている。第３の挿通孔２５１ｃは、突出部２５３の近傍における平板部２５１の他端側に形成されている。突出部２５３は、実施の形態の第２の突出本体部１５４ｂに相当する。
【００７１】
第１のレンズ枠５１には、ガイドカバー２５０を第１のレンズ枠５１のＸ軸プラス方向側の端縁に設けた場合に、第３の挿通孔２５１ｃに対応するネジ穴が形成されている。
【００７２】
ガイドカバー２５０は、第１の挿通孔、第２の挿通孔及び第３の挿通孔２５１ｃをそれぞれ挿通するネジ２６１が第１のレンズ枠５１のネジ穴に螺合することで、第１のレンズ枠５１に固定される。
【００７３】
ガイドカバー２５０は、平板部２５１及び突出部２５３の他にリブ２５６を有している。リブ２５６は、平板部２５１及び突出部２５３に対して略垂直に形成されている。リブ２５６は、平板部２５１と突出部２５３との間の強度を高めている。
【００７４】
比較例の群鏡筒２００では、突出部２５３の近傍で第１のレンズ枠５１とネジ止めし、リブ２５６で平板部２５１及び突出部２５３の強度を高めているが、群鏡筒２００を備えた撮像装置の振動などにより、突出部２５３が光軸Ｊと略交差する方向に向かってブレてしまう場合がある。つまり、リブ２５６を設けても、突出部２５３のブレを十分に抑制することができていない。振動などにより突出部２５３がブレれば、突出部２５３近傍で異音が生じてしまい、撮像時にその異音を集音するという不具合が生じる恐れがある。
【００７５】
［作用効果］
次に、本実施の形態に係るレンズ鏡筒１０及び撮像装置１の作用効果について説明する。
【００７６】
上述したように、本実施の形態に係るレンズ鏡筒１０は、光軸Ｊ方向に移動可能なレンズ枠体５２と、レンズ枠体５２の光軸Ｊに沿って移動するようにレンズ枠体５２をガイドするガイドポール５３と、ガイドポール５３の一端側を保持する第１のレンズ枠５１と、第１のレンズ枠５１に保持されるガイドカバー１５０と、ガイドカバー１５０を第１のレンズ枠５１に固定する締結部材１６０とを備える。また、ガイドカバー１５０は、ガイドポール５３の他端側を保持し、光軸Ｊ方向に突出する突出部１５３を有する。そして、締結部材１６０は、突出部１５３を介してガイドカバー１５０を第１のレンズ枠５１に締結している。
【００７７】
これにより、締結部材１６０が突出部１５３を介してガイドカバー１５０を第１のレンズ枠５１の被写体側に締結している。このため、比較例に比べて、締結部材１６０が光軸Ｊと略交差する方向への突出部１５３のブレを抑制することができる。このため、突出部１５３が大型化し難く、第２のレンズ群Ｌ２の大きさを制限し難い。
【００７８】
また、このレンズ鏡筒１０では、締結部材１６０が突出部１５３の強度を確保するため、突出部１５３のブレによる異音が発生し難い。
【００７９】
したがって、このレンズ鏡筒１０では、ガイドカバー１５０の強度を確保するとともに、第１のレンズ枠５１に対するガイドカバー１５０のブレを抑制することができる。
【００８０】
特に、締結部材１６０が金属材料から形成されているため、樹脂材料から形成される突出部１５３の強度を確保することができる。
【００８１】
また、本実施の形態に係る撮像装置１は、レンズ鏡筒１０を備える。
【００８２】
これによれば、突出部１５３が光軸Ｊと略交差する方向にブレ難いため、異音が発生し難い。このため、この撮像装置１では、撮像時に振動による異音を集音し難い。
【００８３】
また、本実施の形態に係るレンズ鏡筒１０において、突出部１５３には、光軸Ｊ方向の一端側から他端側まで貫通する突出側挿通孔１５３ｃが形成される。第１のレンズ枠５１には、雌ネジ穴５１ｄが形成される。そして、締結部材１６０は、突出側挿通孔１５３ｃを挿通して雌ネジ穴５１ｄに締結する。
【００８４】
これによれば、突出部１５３の突出側挿通孔１５３ｃを挿通した締結部材１６０が第１のレンズ枠５１の雌ネジ穴５１ｄに螺合するため、ガイドカバー１５０が第１のレンズ枠５１の被写体側に固定することができる。このため、締結部材１６０は、振動による突出部１５３のブレを抑制することができる。
【００８５】
また、本実施の形態に係るレンズ鏡筒１０において、締結部材１６０の締結側とは反対側の一端は、突出部１５３の先端から、突出部１５３の長さＤの１／２までの範囲に設けられる。
【００８６】
これによれば、比較例の突出部２５３に比べて突出部１５３の強度を確保することができるため、突出部１５３が光軸Ｊと交差する方向へのブレを抑制することができる。
【００８７】
また、本実施の形態に係るレンズ鏡筒１０において、ガイドカバー１５０は、締結部材１６０が第１のレンズ枠５１に締結した箇所以外に、少なくとも２箇所が他の締結部材１６０によって第１のレンズ枠５１に固定される。そして、締結部材１６０は、２つのネジ５５、５６と異なる高さに設けられている。
【００８８】
これによれば、２つのネジ５５、５６が平板部１５１を固定し、締結部材１６０が突出部１５３を固定することができるため、ガイドカバー１５０全体を第１のレンズ枠５１に固定することができる。
【００８９】
また、本実施の形態に係るレンズ鏡筒１０において、レンズ枠体５２は、レンズ枠体５２を移動させるコイル２２と、位置検出部材とを有する。第１のレンズ枠５１は、レンズ枠体５２の位置を検出するＭＲ素子５９と、駆動用マグネット２３とを有する。また、本実施の形態に係るレンズ鏡筒１０において、位置検出部材は、マグネット５８又は反射ミラーである。そして、位置検出センサは、磁気式又は反射式である。
【００９０】
これらによれば、レンズ枠体５２のシフト位置を検知することができる。
【００９１】
（実施の形態の変形例）
以下、実施の形態の本変形例に係る第１の群鏡筒３５０について、図１０を用いて説明する。
【００９２】
図１０は、実施の形態の変形例に係る撮像装置の第１の群鏡筒３５０を示す断面図である。
【００９３】
実施の形態の本変形例では、締結部材３６０の先端（Ｘ軸プラス方向）が、突出部３５３の長さＤの約Ｄ／２に位置している点で実施の形態と相違する。
【００９４】
実施の形態の本変形例において、撮像装置における他の構成は、実施の形態の撮像装置１と同様であり、同一の構成については同一の符号を付して構成に関する詳細な説明を省略する。
【００９５】
図１０に示すように、実施の形態の本変形例における締結部材３６０の長さは、実施の形態の締結部材３６０の長さよりも約Ｄ／２短い。具体的には、締結部材３６０の円柱部３６２の長さが実施の形態の円柱部１６２よりも短い。
【００９６】
また、突出部３５３の突出側挿通孔３５３ｃの長さにおいても、実施の形態の締結部材１６０の長さよりも約Ｄ／２短い。つまり、実施の形態の本変形例における第１の平面３５６ａは、実施の形態の第１の平面１５６ａよりも約Ｄ／２低い位置に位置している。
【００９７】
また、第２の突出本体部３５４ｂにおいては、実施の形態と同様の長さであるが、実施の形態の本変形例における第１の突出本体部３５４ａの長さは、実施の形態の第１の突出本体部１５４ａより約Ｄ／２短い。リブ３５５ｂは、第１の突出本体部３５４ａの長さに合わせて設けられている。
【００９８】
本実施の形態では、締結部材３６０における被写体側の一端は、第２の突出本体部３５４ｂの先端（第２の平面３５６ｂの仮想の延長面）から、突出部３５３の長さＤの約Ｄ／２の位置までに設けられる。
【００９９】
このような第１の群鏡筒３５０においても、比較例の突出部２５３に比べて突出部３５３の強度を確保することができるため、突出部３５３が光軸Ｊと交差する方向へのブレを抑制することができる。
【０１００】
特に、締結部材３６０の長さが、突出部３５３の長さＤの１／２以上であればよいため、長尺な締結部材を用いる場合に比べ、製造コストの高騰化を抑制することができる。
【０１０１】
実施の形態の本変形例においても、他の作用効果については、実施の形態と同様の作用効果を奏する。
【０１０２】
（その他変形例等）
以上、実施の形態及び実施の形態の変形例に係るレンズ鏡筒及び撮像装置について、実施の形態及び実施の形態の変形例に基づいて説明したが、本開示は、上記実施の形態及び実施の形態の変形例に限定されるものではない。
【０１０３】
例えば、上記実施の形態においては、移動鏡筒は、複数あってもよい。例えば、第１の移動鏡筒に対して第２の移動鏡筒が繰り出され、第２の移動鏡筒に対して第３の移動鏡筒が繰り出されてもよい。なお、３つの移動鏡筒を例に挙げたが、移動鏡筒の数は特に限定されない。また、第１の移動鏡筒に第２の移動鏡筒が収納され、第２の移動鏡筒に第３の移動鏡筒が収納される。
【０１０４】
また、上記実施の形態における第１の群鏡筒は、例えば、手ぶれ防止用、フォーカシング用、ズーミング用等に用いてもよい。
【０１０５】
なお、上記実施の形態では、ヨーク、駆動用マグネット等がレンズ枠体に設けられていてもよく、マグネット、ＭＲ素子等が第１のレンズ枠に設けられていてもよい。
【０１０６】
以上のように、本開示における技術の例示として、実施の形態及び実施の形態の変形例を説明した。そのために、添付図面および詳細な説明を提供した。
【０１０７】
したがって、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【０１０８】
また、上述の実施の形態は、本開示における技術を例示するためのものであるから、特許請求の範囲またはその均等の範囲において種々の変更、置き換え、付加、省略などを行うことができる。
【産業上の利用可能性】
【０１０９】
本開示は、被写体を撮像する撮像装置に適用可能である。
【符号の説明】
【０１１０】
１  撮像装置
１０  レンズ鏡筒
２２  コイル
２３  駆動用マグネット
５１  第１のレンズ枠（ベース枠）
５１ｄ  雌ネジ穴（締結穴）
５２  レンズ枠体
５３  ガイドポール
５５、５６  ネジ（他の締結部材）
５８  マグネット（位置検出部材）
５９  ＭＲ素子（位置検出センサ）
１５０  ガイドカバー
１５１  平板部
１５３ｃ、３５３ｃ  突出側挿通孔
１５３、３５３  突出部
１６０、３６０  締結部材
【図１】
2018072485.tif 000003
【図２】
2018072485.tif 000004
【図３】
2018072485.tif 000005
【図４】
2018072485.tif 000006
【図５】
2018072485.tif 000007
【図６】
2018072485.tif 000008
【図７】
2018072485.tif 000009
【図８】
2018072485.tif 000010
【図９】
2018072485.tif 000011
【図１０】
2018072485.tif 000012